(57)【要約】【課題】既設クロージャの内装部品を簡単な作業によって移設することができ、クロージャ内部の水密性を高めることが可能な外装交換用クロージャを提供する。【解決手段】ファイバ芯線の融着接続部を含む余長収容トレイ７２と、トレイ固定基板７１と、ケーブル把持具７５と、テンションメンバ固定具７６と、端面ゴムパッキン７４と、を少なくとも有する内装部品７０を、既設クロージャから取り外して移設する際の移設先である外装交換用クロージャであって、一対のサイドフレーム４１の間に配置された平板状の取付基板４８を備えた外装交換用クロージャにおいて、前記内装部品７０を既設クロージャから取り外し、トレイ固定基板７１をストッパー２０により位置決めしつつ押さえ板３０により移設基板１０との間に挟み込んで固定し、この移設基板１０を、外装交換用クロージャ８０の取付基板４８に載置して固定する。【選択図】図５
2019015759.tif 000002
【特許請求の範囲】
【請求項１】
ファイバ芯線の融着接続部を含む余長収容トレイと、この余長収容トレイが固定されたトレイ固定基板と、前記ファイバ芯線が内蔵された光ケーブルを把持するケーブル把持具と、テンションメンバ固定具と、前記ケーブル把持具の外側に配置されて前記光ケーブルが挿通される端面ゴムパッキンと、を少なくとも有する内装部品を、既設クロージャから取り外して移設する際の移設先である外装交換用クロージャであって、一対のサイドフレームの間に配置された平板状の取付基板を備えた外装交換用クロージャにおいて、
前記内装部品を前記既設クロージャから取り外し、前記トレイ固定基板をストッパーにより位置決めしつつ押さえ板により移設基板との間に挟み込んで固定すると共に、前記移設基板を、前記取付基板に載置して固定可能であることを特徴とする外装交換用クロージャ。
【請求項２】
請求項１に記載した外装交換用クロージャにおいて、
前記サイドフレームの内部に、外部から導入される前記光ケーブルが密接して挿通されるグロメットが装着されていることを特徴とする外装交換用クロージャ。
【発明の詳細な説明】
【技術分野】
【０００１】
本発明は、既設クロージャの内装部品を取り外してそのまま移設するための外装交換用クロージャに関するものである。
【背景技術】
【０００２】
光ケーブル用クロージャにおいて、例えば地中に設置された気密型の既設クロージャの内装部品を架空専用のクロージャに移設したり、回線の増設に伴って既設クロージャの内装部品を新設クロージャに移設する場合がある。
【０００３】
ここで、図８，図９は、特許文献１に記載された先行技術である。この先行技術は、図８に示す既設クロージャの内装部品を、図９に示す新設クロージャに移設する場合のものである。
【０００４】
図８（ａ）は既設クロージャの平面図、図８（ｂ）は正面図であり、これらの図において、１０１ａは取付基板、１０２ａは余長収容トレイ（融着接続トレイ）、１０３は光ケーブル、１０４は光ファイバ芯線、１０８は端面ゴムパッキン、１０９はスリーブ、１１０はケーブル把持具、１１１はテンションメンバ固定具である。
【０００５】
この既設クロージャの内装部品を図９に示す新設クロージャに移設する場合には、以下のような手順に従う。
図９（ａ）は新設クロージャの平面図、図９（ｂ）は正面図、図９（ｃ）は側面図であり、図中の余長収容トレイ１０２ａは、図８の既設クロージャから移設されたものである。また、取付基板１１２ａ，１１２ｂは新設クロージャに予め固定されており、１０２ｂは取付基板１１２ｂに予め固定されている余長収容トレイである。
【０００６】
内装部品の移設作業としては、まず、図８（ａ），（ｂ）において、既設クロージャの余長収容トレイ１０２ａを取付基板１０１ａから取り外し、その後にケーブル把持具１１０やテンションメンバ固定具１１１と光ケーブル１０３との固定を解除する。この状態で、光ファイバ芯線１０４が接続されたままの余長収容トレイ１０２ａと光ケーブル１０３とをスリーブ１０９から取り外す。
【０００７】
次に、図９（ａ）〜（ｃ）に示す新設クロージャにおいて、既設クロージャの余長収容トレイ１０２ａ及び光ケーブル１０３を移設するために、取付基板１１２ａ、ケーブル把持具１０６、テンションメンバ固定具１０７等を予め固定しておき、既設クロージャの余長収容トレイ１０２ａを取付基板１１２ａに固定すると共に、既設クロージャの光ケーブル１０３をケーブル把持具１０６により把持し、テンションメンバをテンションメンバ固定具１０７に固定する。
その後に、全体を包囲するようにスリーブ１２１を適宜固定し、密封して移設を完了する。
なお、図９（ｂ）において、１２２は端面ゴムパッキン、１２３はシーリングテープである。
【０００８】
次に、図１０は、特許文献２に記載された先行技術を示している。この先行技術も、回線を増設するために既設クロージャの内装部品を新設クロージャに移設するものである。
図１０において、２０１ａは移設されて来た既設クロージャの余長収容トレイ、２０２は取付基板、２０３は光ケーブル、２０４はケーブル把持具、２０５は光ファイバ芯線、２０６はテンションメンバ固定具、２０７は端面ゴムパッキン、２０１ｂは移設先である新設クロージャの余長収容トレイ、２１０は下スリーブ、２１１は上スリーブ、２１２，２１３は端面ゴムパッキン２０７の外周面に適合する凹曲面を有するパッキン受け部である。
【０００９】
この先行技術では、余長収容トレイ２０１ａを取付基板２０２に固定したまま、また、光ケーブル２０３についてもケーブル把持具２０４及びテンションメンバ固定具２０６に固定したままの状態で既設クロージャから取り外し、その全体を移設ユニットとして新設クロージャの下スリーブ２１０内に収容して固定し、上スリーブ２１１を被せることにより内装部品の移設を完了している。
【先行技術文献】
【特許文献】
【００１０】
【特許文献１】特開２００５−１４８４８６号公報（段落［００２９］〜［００３６］、図１，図４等）
【特許文献２】特許第３７６５８７８号公報（段落［００１３］〜［００１８］、図１等）
【発明の概要】
【発明が解決しようとする課題】
【００１１】
図８，図９に示した先行技術では、余長収容トレイ１０２ａを移設するに当たって取付基板１０１ａから取り外す手間が必要であり、作業性が悪いという問題があった。
これに対し、図１０に示した先行技術では、移設するべき余長収容トレイ２０１ａを取付基板２０２から取り外すことなく、また、ケーブル把持具２０４や光ケーブル２０３もそのままの状態で新設クロージャに移設することができる。
【００１２】
しかしながら、新設クロージャの光ケーブル導入部は、端面ゴムパッキン２０７によって外部と隔離されているだけであるため、新設クロージャ内部の水密性が万全ではなかった。また、移設する光ケーブル２０３の径の相違などによって端面ゴムパッキン２０７の外形や大きさが異なる場合には、下スリーブ２１０及び上スリーブ２１１に予め形成されているパッキン受け部２１２，２１３の凹曲面と端面ゴムパッキン２０７の外周面とが密着せず、新設クロージャ内部の水密性が損なわれるおそれもあった。
【００１３】
そこで、本発明の解決課題は、既設クロージャの内装部品を簡単な作業によって移設することができ、また、既設クロージャに使用されている端面ゴムパッキンの外形等に関わらずクロージャ内部の水密性を高めることができる外装交換用クロージャを提供することにある。
【課題を解決するための手段】
【００１４】
上記課題を解決するため、請求項１に係る発明は、ファイバ芯線の融着接続部を含む余長収容トレイと、この余長収容トレイが固定されたトレイ固定基板と、前記ファイバ芯線が内蔵された光ケーブルを把持するケーブル把持具と、テンションメンバ固定具と、前記ケーブル把持具の外側に配置されて前記光ケーブルが挿通される端面ゴムパッキンと、を少なくとも有する内装部品を、既設クロージャから取り外して移設する際の移設先である外装交換用クロージャであって、一対のサイドフレームの間に配置された平板状の取付基板を備えた外装交換用クロージャにおいて、
前記内装部品を前記既設クロージャから取り外し、前記トレイ固定基板をストッパーにより位置決めしつつ押さえ板により移設基板との間に挟み込んで固定すると共に、前記移設基板を、前記取付基板に載置して固定可能であることを特徴とする。
【００１５】
請求項２に係る発明は、請求項１に記載した外装交換用クロージャにおいて、前記サイドフレームの内部に、外部から導入される前記光ケーブルが密接して挿通されるグロメットが装着されていることを特徴とする。
【発明の効果】
【００１６】
本発明によれば、ケーブル芯線の融着接続部を含む余長収容トレイや光ケーブル及び端面ゴムパッキン等をそのままの状態にして、これらとトレイ固定基板、ケーブル把持具、テンションメンバ固定具等からなる既設クロージャの内装部品全体を移設基板に固定し、更に、この移設基板を外装交換用クロージャ側の取付基板に固定することで、既設クロージャの内装部品を外装交換用クロージャに簡単に移設することができる。
また、外装交換用クロージャの内部は、既設クロージャに使用されていた端面ゴムパッキンとグロメットとによって外部と隔離されるため、クロージャ内部の水密性を高めることができる。
【図面の簡単な説明】
【００１７】
【図１】本発明の実施形態における移設基板の平面図である。
【図２】本発明の実施形態におけるストッパーの説明図である。
【図３】本発明の実施形態における押さえ板の斜視図である。
【図４】本発明の実施形態を示す全体構成図である。
【図５】本発明の実施形態において、既設クロージャの内装部品の平面図（図５（ａ））、及び、この内装部品を移設した状態の外装交換用クロージャの内部平面図（図５（ｂ））である。
【図６】図５（ｂ）の部分拡大図である。
【図７】本発明の実施形態におけるグロメットとその使用状態を示す斜視図である。
【図８】特許文献１に記載された既設クロージャの説明図である。
【図９】特許文献１に記載された新設クロージャの説明図である。
【図１０】特許文献２におけるクロージャ内装部品の移設状態を示す斜視図である。
【発明を実施するための形態】
【００１８】
以下、図に沿って本発明の実施形態を説明する。
図１〜図３は、この実施形態の外装交換用クロージャに使用される移設金具を示している。
【００１９】
まず、図１は、既設クロージャの内装部品が載置されて固定される移設基板１０であり、矩形かつ平板状の基板本体１１の両端部近傍には、多数の取付孔１２，１３が形成されている。
図２は、既設クロージャの内装部品を移設基板１０に対して位置決めしつつ固定するためのストッパー２０を示しており、図２（ａ）は斜視図、図２（ｂ）は平面図である。
【００２０】
図２（ａ），（ｂ）において、ストッパー２０は、矩形かつ平板状の基片２１と、その両側に立設された側片２８ａ，２８ｂと、基片２１の両端部に形成された翼片２２，２３と、基片２１の両端部近傍から基片２１に直交するように形成された直交片２４，２５と、これらの直交片２４，２５の先端部に階段状に形成された翼片２６，２７とを備えている。なお、翼片２２，２３，２６，２７には長孔２２ａ，２３ａ，２６ａ，２７ａが形成されている。
【００２１】
また、図３は、矩形かつ平板状の押さえ板３０の斜視図であり、その両端部には長孔３１及び孔３２が形成されている。
移設基板１０、ストッパー２０及び押さえ板３０は何れも金属製であるが、十分な剛性や強度が得られるのであれば、例えば硬質プラスチック製であっても良い。
【００２２】
次に、図４は、この実施形態に係る外装交換用クロージャの全体構成図であり、図４（ａ）は平面図、図４（ｂ）は正面図、図４（ｃ）は側面図、図４（ｄ）は内部構造図である。
図４（ｄ）では、ストッパー２０及び押さえ板３０を移設基板１０上に配置し、この移設基板３０を、外装交換用クロージャの取付基板４８に載置した状態を示している。なお、４１は取付基板４８の両端部に一体的に連結されたサイドフレーム、４２は外装交換用クロージャをメッセンジャーワイヤから吊り下げるための吊り金具である。
また、４３，４４は、押さえ板３０により既設クロージャの内装部品を押さえ込んで移設基板１０に固定するために選択的に使用される固定片である。
【００２３】
更に、図４（ｃ）において、４５，４６は外装交換用クロージャに光ケーブルを導入するためにサイドフレーム４１の内部に装着されるグロメットであり、１条の光ケーブル用グロメット４５または２条の光ケーブル用グロメット４６が適宜、選択されて用いられる。なお、４７は、一対のサイドフレーム４１間の内装部品を覆うように取り付けられるスリーブである。
【００２４】
図５は、この実施形態において、既設クロージャの内装部品の平面図（図５（ａ））、及び、この内装部品を移設した後の外装交換用クロージャの内部平面図（図５（ｂ））を示している。
【００２５】
図５（ａ）に示す既設クロージャの内装部品７０は、トレイ固定基板７１、余長収容トレイ７２、ケーブル把持具７５、テンションメンバ固定具７６、端面ゴムパッキン７４、及び光ケーブル７３等を備え、これらの全体がスリーブ７７によって覆われている。
この内装部品７０を移設する際には、スリーブ７７を取り外し、ケーブル芯線の融着接続部を含む余長収容トレイ７２や光ケーブル７３、端面ゴムパッキン７４をそのままの状態にして、トレイ固定基板７１、余長収容トレイ７２、光ケーブル７３、端面ゴムパッキン７４、ケーブル把持具７５、テンションメンバ固定具７６等からなる内装部品７０の全体を図５（ｂ） の移設基板１０に載置し、例えば以下のようにして移設基板１０に固定する。
【００２６】
ここで、図６は図５（ｂ） の部分拡大図である。
前述したストッパー２０を移設基板１０の上に仮止めしておき、図６に示すように、内装部品７０のトレイ固定基板７１を位置決めしてその端部７８をストッパー２０の側片２８ａに当接させ、この状態でストッパー２０を移設基板１０に固定する。
次に、押さえ板３０を、固定片４４を介して移設基板１０に締め付け、トレイ固定基板７１を押さえ板３０と移設基板１０とにより挟み込むようにしてトレイ固定基板７１を移設基板１０に固定する。
そして、移設基板１０の取付孔１２，１３を利用して、取付基板４８に移設基板１０をボルト、ナット締めすることにより、移設基板１０を取付基板４８に対して一体的に固定すれば良い。
【００２７】
このようにして既設クロージャの内装部品７０を外装交換用クロージャ８０に移設した後は、吊り金具４２を用いてメッセンジャーワイヤに全体を吊り下げ、その後に図５（ｂ）のスリーブ４７を被せて締結バンド等により締結すれば、既設クロージャの内装部品７０の移設が完了する。
【００２８】
図７は、サイドフレーム４１の内部に装着される前述のグロメット４５，４６（図７（ａ），（ｂ））とその使用状態（図７（ｃ））を示しており、４５ａ，４６ａは各グロメット４５，４６のシール部である。これらのグロメット４５，４６は、矢印ａ’，ｂ’方向に開閉可能となっている。
【００２９】
サイドフレーム４１は上端部が開閉可能であり、光ケーブル７３を挿通したグロメット４５，４６を、上端部が開放されたサイドフレーム４１に装着してから上端部を閉じて固定し、更にスリーブ４７を装着することにより、余長収容トレイ７２側はグロメット４５，４６及び端面ゴムパッキン７４によって水密性が維持される。
この端面ゴムパッキン７４は、前述した特許文献２のようにパッキン受け部２１２，２１３を用いずに外装交換用クロージャ８０内に配置されているため、外装交換用クロージャ８０の内部構造は、端面ゴムパッキン７４の外形や大きさに制約されることがない。従って、移設する光ケーブルの径も特に限定されず、各種の径を有する光ケーブルが実装された内装部品を移設することができる。
【００３０】
また、グロメット４５，４６を用いることにより、スリーブの開閉や光ケーブルの増設の際に従来必要とされていたシーリング材や、光ケーブルの径に合わせた端面ゴムパッキンも不要になる。
更に、サイドフレーム４１の底部やスリーブ４７の適宜な位置に水抜き用の溝や孔を形成することにより、クロージャ内部に万が一、水が浸入したとしても、これを確実に排水することができる。
【００３１】
なお、外装交換用クロージャのケーブル把持具７５の近傍に、シート状のファイバプロテクタ（図示せず）を予め取り付けておき、このファイバプロテクタによって光ケーブル７３の周囲を覆うようにすれば、光ケーブル７３及びファイバ芯線を保護することができる。
また、内装部品の移設に当たり、必要に応じて余長収容トレイを増加して回線を増設しても良いのは言うまでもない。
【産業上の利用可能性】
【００３２】
本発明は、例えば地中に設置された既設クロージャの内装部品を架空専用のクロージャに移設して使用する場合等に有効である。
【符号の説明】
【００３３】
１０：移設基板
１１：基板本体
１２，１３：取付孔
２０：ストッパー
２１：基片
２２，２３，２６，２７：翼片
２２ａ，２３ａ，２６ａ，２７ａ：長孔
２４，２５：直交片
２８ａ，２８ｂ：側片
３０：押さえ板
３１：長孔
３２：孔
４１：サイドフレーム
４２：吊り金具
４３：４４：固定片
４５，４６：グロメット
４５ａ，４６ａ：シール部
４７：スリーブ
４８：取付基板
７０：既設クロージャの内装部品
７１：トレイ固定基板
７２：余長収容トレイ
７３：光ケーブル
７４：端面ゴムパッキン
７５：ケーブル把持具
７６：テンションメンバ固定具
７７：スリーブ
７８：端部
８０：外装交換用クロージャ
【図１】
2019015759.tif 000003
【図２】
2019015759.tif 000004
【図３】
2019015759.tif 000005
【図４】
2019015759.tif 000006
【図５】
2019015759.tif 000007
【図６】
2019015759.tif 000008
【図７】
2019015759.tif 000009
【図８】
2019015759.tif 000010
【図９】
2019015759.tif 000011
【図１０】
2019015759.tif 000012